(57)【特許請求の範囲】
【請求項１】
長尺形状をなす平板形状の平板部と、前記平板部の長手方向に沿う一方の端部から立ち上がり、貫通孔が形成された平板形状の第一の側壁部と、前記平板部の長手方向に沿う他方の端部から立ち上がる平板形状の第二の側壁部とを有する凹部を備える器具本体と、
長尺形状をなし、前記凹部に取り付けられる光源ユニットと、
前記凹部に収納され、前記第二の側壁部から前記第一の側壁部に向かう引張方向に引っ張られる引っ張り部を有し、前記引っ張り部が前記引張方向に引っ張られることで、前記光源ユニットへの電力供給状態を切り替えるプルスイッチと、
前記第一の側壁部に形成された前記貫通孔に配置され、前記引張方向に引っ張られた前記引っ張り部の一部を収納する収納空間が形成されたブッシュと
を備えた照明装置。
【請求項２】
長尺形状をなす平板形状の平板部と、前記平板部の長手方向に沿う一方の端部から立ち上がり、貫通孔が形成された平板形状の第一の側壁部と、前記平板部の長手方向に沿う他方の端部から立ち上がる平板形状の第二の側壁部とを有する凹部を備える器具本体と、
長尺形状をなし、前記凹部に取り付けられる光源ユニットと、
前記凹部に収納され、前記第二の側壁部から前記第一の側壁部に向かう引張方向に引っ張られる引っ張り部を有し、前記引っ張り部が前記引張方向に引っ張られることで、前記光源ユニットへの電力供給状態を切り替えるプルスイッチと
を有し、
前記貫通孔は、
前記引っ張り部の引張側端部より大きく形成され、
前記プルスイッチは、
前記第二の側壁部と前記プルスイッチの間が前記第一の側壁部と前記プルスイッチの間と略同じまたは大きくなるように前記凹部に収納され、
前記引っ張り部は、
前記引張方向に引っ張られたとき、前記引張側端部が前記貫通孔から突き出すことを特徴とする照明装置。
【請求項３】
前記貫通孔に配置され、前記引張方向に引っ張られた前記引っ張り部の一部を収納する収納空間が形成されたブッシュを備えている請求項２に記載の照明装置。
【請求項４】
前記ブッシュは、
一方の端部が前記プルスイッチの前記引っ張り部に接続された紐状体を前記収納空間から外部へ貫通させるように前記収納空間に続く貫通空間が形成された請求項１または請求項３に記載の照明装置。
【請求項５】
前記貫通空間の前記引張方向を法線方向とする断面の大きさは、
前記収納空間の前記引張方向を法線方向とする断面の大きさよりも小さい請求項４に記載の照明装置。
【請求項６】
前記収納空間と前記貫通空間とは、
前記引張方向に延びる円筒形状であり、
前記貫通空間の直径は、
前記収納空間の直径よりも小さい請求項５に記載の照明装置。
【請求項７】
前記ブッシュは、
前記紐状体が前記貫通空間から前記外部に出る前記貫通空間の出口に、前記紐状体を貫通させるリング形状のリング部材を備えた請求項４から請求項６のいずれか一項に記載の照明装置。
【請求項８】
前記照明装置は、さらに、
前記長手方向に沿う細長い円弧形状をなすと共に前記平板部に対向して配置されて弾性力によって前記光源ユニットを前記器具本体に取り付ける円弧形状部を有するバネ部を備え、
前記プルスイッチは、
前記バネ部の前記円弧形状部と前記凹部の前記平板部とに挟まれて配置された請求項１から請求項７のいずれか一項に記載の照明装置。
【発明の詳細な説明】
【技術分野】
【０００１】
この発明は照明装置に関する。
【背景技術】
【０００２】
長尺状の光源ユニットに、光源と電源とを備え、この光源ユニットが着脱自在に器具本体に取り付けられる照明装置がある（例えば、特許文献１参照）。
【先行技術文献】
【特許文献】
【０００３】
【特許文献１】特許第５４８６７２７号公報
【発明の概要】
【発明が解決しようとする課題】
【０００４】
上記従来の照明装置は、器具本体の外部にプルスイッチ２６を配置するため（図１（ｂ））、この配置スペースが必要となり、反射板が大型化し、ひいては照明装置が大型化していた。また、仮にプルスイッチを器具内側凹部に収納すると、照明器具を長手方向へ連結したときに、照明器具同士を連結する為のＦケーブルがプルスイッチと光源部との間で干渉され、光源ユニットが取り付けにくくなるという課題があった。
【０００５】
本発明は、断面が凹部形状で長手形状をなす器具本体を有する照明器具において、凹部形状の空間を有効活用できる照明装置を提供する。
【課題を解決するための手段】
【０００６】
この発明の照明装置は、
長尺形状をなす平板形状の平板部と、前記平板部の長手方向に沿う一方の端部から立ち上がり、貫通孔が形成された平板形状の第一の側壁部と、前記平板部の長手方向に沿う他方の端部から立ち上がる平板形状の第二の側壁部とを有する凹部を備える器具本体と、
長尺形状をなし、前記凹部に取り付けられる光源ユニットと、
前記第二の側壁部から前記第一の側壁部に向かう引張方向に引っ張られる引っ張り部を有し、前記引っ張り部が前記引張方向に引っ張られるたびに、前記光源ユニットへの電力の供給と遮断とを切り替え、前記凹部に収納されるプルスイッチと、
前記第一の側壁部に形成された前記貫通孔に配置されるブッシュであって、前記引張方向に引っ張られた前記引っ張り部の一部を収納する収納空間が形成されたブッシュと
を備えた。
【発明の効果】
【０００７】
本発明によれば、断面が凹部形状で長手形状をなす器具本体を有する照明器具において、凹部形状の空間を有効活用できる照明装置を提供できる。
【図面の簡単な説明】
【０００８】
【図１】実施の形態１の図で、照明装置１０００の斜視図。
【図２】実施の形態１の図で、照明装置１０００を器具本体１００と光源ユニット２００とに分解した斜視図。
【図３】実施の形態１の図で、光源ユニット２００の斜視図。
【図４】実施の形態１の図で、器具本体１００を本体部１１０と端板１２０−１，１２０−２とに分解した斜視図。
【図５】実施の形態１の図で、ブッシュ５００の取り付け示すための、器具本体１００端部の斜視図。
【図６】実施の形態１の図で、ブッシュ５００の斜視図。
【図７】実施の形態１の図で、図６におけるＺ方向矢視。
【図８】実施の形態１の図で、図１のＡ−Ａ断面図。
【図９】図８の部分拡大図。
【図１０】実施の形態１の図で、紐状体１７０を示す図。
【図１１】実施の形態１の図で、引っ張り部１４３の可動範囲を示す図。
【図１２】実施の形態１の図で、光源ユニット２００の端部を示す図。
【図１３】実施の形態１の図で、ブッシュ５００−１の断面図。
【図１４】実施の形態１の図で、ブッシュ６００の斜視図。
【図１５】実施の形態１の図で、リング部材６６０を備えるブッシュ６００の分解斜視図。
【図１６】実施の形態１の図で、ブッシュ６００の断面図。
【図１７】実施の形態１の図で、ブッシュ６００を使用する場合の、図８に対応する断面図。
【図１８】実施の形態１の図で、リング部材６６０を備える別の例のブッシュ６００の分解斜視図。
【図１９】実施の形態１の図で、境目６５１がジグザグであるブッシュ６００の斜視図。
【図２０】実施の形態１の図で、光源ユニット２００に取り付けられる連結金具２５０を示す図。
【図２１】実施の形態１の図で、器具本体１００への光源ユニット２００の取付方法を示す図。
【図２２】実施の形態１の図で、プルスイッチ１４０とバネ部１３０との配置関係を示す図。
【図２３】実施の形態１の図で、照明装置１００２の図８に相当する断面図。
【図２４】実施の形態１の図で、照明装置１００３の図８に相当する断面図。
【図２５】実施の形態１の図で、照明装置１００４の図８に相当する断面図。
【発明を実施するための形態】
【０００９】
実施の形態１．
図１〜図２５を参照して実施の形態１の照明装置１０００を説明する。
照明装置１０００の特徴は、後述する図８に示す内容にあり、
（１）プルスイッチ１４０が本体部１１０の凹部１１１の内部に収納されること、
（２）プルスイッチ１４０の引っ張り部１４３の引張方向１４４が、横方向であること、
（３）プルスイッチ１４０をオン、オフするために引っ張り部１４３を引張方向１４４に引っ張る際に、引張側端部１４３ａを含む引っ張り部１４３の一部が、ブッシュ５００に形成された収納空間５１１に収納されること等にある。
引張側端部１４３ａを含む引っ張り部１４３の一部が、ブッシュ５００に形成された収納空間５１１に収納されるので、図８においてプルスイッチ１４０を第一の側壁部１１３−１の方向に配置できるため、隙間Ｗ２の空間を確保できる。以下、図面を参照して実施の形態１の照明装置１０００を説明する。
【００１０】
図１は、照明装置１０００の斜視図である。図２は、照明装置１０００を器具本体１００と光源ユニット２００とに分解した斜視図である。図３は、光源ユニット２００の斜視図である。図４は、器具本体１００を本体部１１０と端板１２０−１，１２０−２とに分解した斜視図である。図５は、ブッシュ５００の取り付け示すための、器具本体１００端部の斜視図である。図５は図２の右側端部に相当する。図６は、ブッシュ５００の斜視図である。図７は、ブッシュ５００の図６におけるＺ方向矢視である。図８は、図１のＡ−Ａ断面図である。図８はブッシュ５００を２等分する断面図である。図８では、引っ張り部１４３、ワイヤー１５０、引き紐１６０は断面上に位置するが断面にしていない。引っ張り部１４３の軸を延長すると、ブッシュ５００に形成された円筒形状の収納空間５１１の略中心位置となる。図８は照明装置１０００が天井板３００に設置された状態を示す。図９は、図８の部分拡大図である。なお図８は引っ張り部１４３が引っ張られていない状態を示すが、図９は引っ張り部１４３が最も引っ張られた状態を示しており、引張側端部１４３ａはそれ以上右に移動しない。図１０は、紐状体１７０を示す図である。図１１は、プルスイッチ１４０の引っ張り部１４３の可動範囲を示す図である。図１２は、光源ユニット２００の端部を示す図であり、端部の光源蓋部２４０（図３）を取り外した図である。
【００１１】
図２のように、照明装置１０００は、器具本体１００と、器具本体１００に着脱可能に取り付けられる光源ユニット２００とを備える。
【００１２】
図４のように、器具本体１００は、長尺状の本体部１１０と、本体部１１０の長手方向（図１の長手方向に同じ）の両端に取り付けられる台形状の端板１２０−１、１２０−２を備える。また、図２、図８のように、本体部１１０には、プルスイッチ１４０が配置される。プルスイッチ１４０には、ステンレス鋼材からなるワイヤー１５０が取り付けられ、ワイヤー１５０の先端には、引き紐１６０が取り付けられる。ワイヤー１５０と、引き紐１６０とは全体で紐状体１７０をなす（図１０）。紐状体１７０はワイヤー１５０と引き紐１６０とで構成してもよいし、ワイヤー１５０のみで構成してもよいし、引き紐１６０のみで構成しても構わない。ワイヤーのみで構成する場合は、図８においてワイヤー側連結部１５１から引き紐端部１６２の部分がワイヤーである。引き紐１６０のみで構成する場合は、図８においてワイヤー側連結部１５１から引き紐端部１６２の部分が引き紐である。
【００１３】
図８に示すように、器具本体１００は、平板部１１２と、第一の側壁部１１３−１と、第二の側壁部１１３−２とを有する凹部１１１を備える。平板部１１２は、長尺形状をなす平板形状である。第一の側壁部１１３−１は、平板部１１２の長手方向に沿う一方の端部１１５−１（図５）から略垂直方向に立ち上がり、貫通孔１１３Ｈが形成された平板形状である。第二の側壁部１１３−２は、平板部１１２の長手方向に沿う他方の端部１１５−２（図２）から略垂直方向に立ち上がる平板形状である。また、図４、図８のように、本体部１１０は、光源ユニット２００の発する光を反射する第一の傾斜部１１４−１及び第二の傾斜部１１４−２を備える。凹部１１１は、これらの傾斜部に挟まれる。傾斜部１１４−１には紐状体１７０を貫通させて通す傾斜部貫通孔１１４Ｈが形成されている。
【００１４】
図４、図８のように、凹部１１１とは、底面部をなす平板部１１２、第一の側壁部１１３−１，第二の側壁部１１３−２で構成され、断面がコの字形状で、長手方向の範囲１１８にわたり形成される部分である。なお、図４に示す本体部１１０は１枚の板を折り曲げて形成されるが、複数枚の板から形成しても構わない。第一の側壁部１１３−１には、貫通孔１１３Ｈ（図５、図８）が形成されている。また、図８のように、平板部１１２には、凹部１１１の外側に凸となるように凸部１８０が形成されている。凸部１８０は、例えば図２の右側のバネ部１３０の上側と、左側のバネ部１３０の上側とに、形成されている。
【００１５】
貫通孔１１３Ｈには、ブッシュ５００が挿入されている。ブッシュ５００は、例えば、ナイロン、ポリブチレンテレフタレート、ポリカーボネートなどの樹脂でできている。
【００１６】
なお、貫通孔１１３Ｈは、図５に示すような、一部が凸形状１１３Ｈ−１に切り欠かれた円形状をなし、ブッシュ本体部５１０も、凸形状１１３Ｈ−１に係合するブッシュ凸部５４０（図６）を有している。凸形状１１３Ｈ−１とブッシュ凸部５４０との係合によって、ブッシュ本体部５１０の回転が防止される。つまりブッシュ本体部５１０の外形形状は、貫通孔１１３Ｈに嵌る少なくとも一部が円形形状であり、かつ、ブッシュ凸部５４０を有する形状である。
【００１７】
図８のように、プルスイッチ１４０は、凹部１１１に収納される。プルスイッチ１４０は、平板部１１２に取り付けられるケースであるプルスイッチ本体部１４１と、プルスイッチ本体部１４１の内部に設けられるロータリースイッチ１４２と、ロータリースイッチ１４２に接続されて、プルスイッチ本体部１４１の外部から引っ張られる棒状の引っ張り部１４３とを備える。引っ張り部１４３は例えば金属棒である。引っ張り部１４３は、第二の側壁部１１３−２から第一の側壁部１１３−１に向かう引張方向１４４に引っ張られる。引っ張り部１４３は引張方向１４４に引っ張られると、プルスイッチ本体部１４１から平板部１１２と略平行に突き出すように動く。引っ張り部１４３の端部には、図８のように、リング状の引張側端部１４３ａが形成されている。プルスイッチ１４０は、引っ張り部１４３が引張方向１４４に引っ張られることで、光源ユニット２００への電力供給状態を切り替える。具体的には、引っ張り部１４３が引っ張られる度に、プルスイッチ１４０の備えるロータリースイッチ１４２が、オン状態、オフ状態に切り替わる。ロータリースイッチ１４２は、オン状態では電源装置２７０（図３）から光源ユニット２００に電力を供給し、オフ状態では電源装置２７０から光源ユニット２００への電力供給を遮断する。図９のように、プルスイッチ１４０では、引っ張り部１４３のオン、オフが切り替わるように引っ張られた場合に、引っ張り部１４３の引張側端部１４３ａを含む一部が、貫通孔１１３Ｈから突き出して、ブッシュ５００の収納空間５１１に収納されるように、平板部１１２に配設される。
【００１８】
ワイヤー１５０は、図８のように、凹部１１１の内部から外部７００に向けてブッシュ５００を通り抜け、通り抜けた直後の部分がワイヤー屈曲部分１５３として屈曲される。ワイヤー屈曲部分１５３はＬ字形状に屈曲して形成され、両端にワイヤー側連結部１５１，１５２を有する。ワイヤー１５０は、ブッシュ５００を通り抜けた後は、第一の側壁部１１３−１の立ち上がる方向である図８のＸ方向に延びる。ワイヤー１５０は、ワイヤー屈曲部分１５３を境に、一方の側が傾斜部貫通孔１１４Ｈに挿入され、他方の側がブッシュ５００に挿入されている。ワイヤー側連結部１５１はプルスイッチ１４０の引っ張り部１４３の引張側端部１４３ａに取り付けられ、ワイヤー側連結部１５２は引き紐１６０の引き紐端部１６１が取り付けられている。なお、ワイヤー１５０の両端は折り曲げられるとともに先端部がカシメ留めされてリング状に形成され、このリング状に形成された輪っか部分がワイヤー側連結部１５１、１５２をなしている。
【００１９】
図１０は引き紐１６０を示す。引き紐１６０は、一端側である引き紐端部１６１が、輪っかを形成するように結ばれており（図１０（ａ））、他端側の引き紐端部１６２はユーザーが引っ張るための摘み部１６２ａを有している。引き紐１６０の引き紐端部１６１（輪っか）は、ワイヤー側連結部１５２を相通された後（図１０（ｂ））、摘み部１６２ａを引き紐端部１６１の輪っか部分を通すようにして、引き紐１６０をワイヤー側連結部１５２に結んで取りつける（図１０（ｃ））。
【００２０】
光源ユニット２００は長尺形状をなし、凹部１１１に取り付けられる。図１２は、長尺形状をなす光源ユニット２００の組み付け関係を示すための簡略化した図である。図１２は光源ユニット２００の端部を示す図であり、端部の光源蓋部２４０（図３）を取り外した状態の図である。光源ユニット２００は、コの字形状に折り曲げられて形成した取付部材２２０と、取付部材２２０に取り付けられるＬＥＤモジュール２１０と、ＬＥＤモジュール２１０を覆うように取付部材２２０に取り付けられる透光カバー２３０とを備える。また、図３のように、光源ユニット２００は、取付部材２２０に取り付けられ、ＬＥＤモジュール２１０に電力を供給する電源装置２７０を備える。
【００２１】
図５〜図９を参照してブッシュ５００を説明する。図５のように、ブッシュ５００は、第一の側壁部１１３−１に形成された貫通孔１１３Ｈに配置される。図９のように、ブッシュ５００は、引張方向１４４に引っ張られた引っ張り部１４３の一部を収納する収納空間５１１が形成されている。またブッシュ５００は、一方の端部がプルスイッチ１４０の引っ張り部１４３に接続された紐状体１７０を収納空間５１１から外部７００へ貫通させるように収納空間５１１に続く貫通空間５１２が形成されている。また引っ張り部１４３と貫通孔１１３Ｈとの関係では、図９に示すように、貫通孔１１３Ｈは、引っ張り部１４３の引張側端部１４３ａが貫通するように、引張側端部１４３ａよりも大きく形成されている。引っ張り部１４３は、引張方向１４４に引っ張られたとき、引張側端部１４３ａが貫通孔１１３Ｈから突き出す。
【００２２】
図６〜図８に示すように、ブッシュ５００は、略円筒形状をしたブッシュ本体部５１０と、ブッシュ本体部５１０における収納空間５１１の開口部分に形成されたブッシュ鍔部５２０と、ブッシュ本体部５１０の側面に、対になるように形成されたブッシュ爪部５３０とを備えている。図５に示すように、ブッシュ鍔部５２０が凹部１１１の内側になるように、ブッシュ本体部５１０が貫通孔１１３Ｈに挿し込まれ、ブッシュ鍔部５２０とブッシュ爪部５３０が第一の側壁部１１３−１を挟持し固定される。ブッシュ本体部５１０が貫通孔１１３Ｈに挿し込まれた場合、図７に示すブッシュ爪部５３０が矢印の方向に弾性変形して復元力で貫通孔１１３Ｈの縁を押し付ける。
【００２３】
図９に示すように、貫通空間５１２における引張方向１４４を法線方向とする断面の大きさは、収納空間５１１における引張方向１４４を法線方向とする断面の大きさよりも小さい。図９では、収納空間５１１と貫通空間５１２とは、引張方向１４４に延びる円筒形状にくり抜かれている場合を示しているが、円筒形状に限定されない。引っ張られた場合の引っ張り部１４３の一部を覆うようにして収納する収納空間の断面は、円ではなく楕円や矩形でもよい。以下では収納空間５１１、貫通空間５１２が円筒形状の場合を想定して説明する。
【００２４】
収納空間５１１は、直径がφＤである略円筒形状をなす空間であり、引っ張り部１４３の一部を収納する。収納空間５１１は、引っ張られた場合の引っ張り部１４３の一部を覆うようにして収納することで、図１１に示すように引っ張り部１４３がぶれる場合に、このぶれを収納空間５１１の内面側で拘束する。また引っ張られた場合の引っ張り部１４３が他の部材と干渉するのを防止できる。このように、収納空間５１１は引っ張られた場合の引っ張り部１４３の一部を収納する専用空間である。収納空間５１１の直径φＤは、引張側端部１４３ａを収納するため、貫通空間５１２の直径φＢよりも大きく形成されている。
【００２５】
貫通空間５１２は、収納空間５１１に引き続いて形成され、直径がφＢの略円筒形状をなす空間である。貫通空間５１２は、ワイヤー１５０のぶれを規制するワイヤー規制部として機能する。ワイヤー１５０のぶれを規制する貫通空間５１２の直径φＢは、収納空間５１１の直径φＤよりも小さい。なお、貫通空間５１２は、あった方が好ましいが、なくても構わない。貫通空間５１２がない場合、ブッシュ５００は、例えば、図９において内径φＤの筒形状である。つまり、ブッシュ５００は収納空間５１１があればよく、貫通空間５１２があればさらに好ましい。
【００２６】
収納空間５１１は、ブッシュ鍔部５２０側に配置され、貫通空間５１２は、ブッシュ鍔部５２０と反対側に配置されている。貫通空間５１２は、ワイヤー１５０が挿通される。ワイヤー１５０は引き紐１６０に引っ張られると、貫通空間５１２の内側に沿って略直線状に引張方向１４４に動く。貫通空間５１２の直径φＢは、ワイヤー１５０の直径φＡよりも、若干大きく形成されている。
【００２７】
図９に示すように、引張側端部１４３ａがワイヤー１５０で引っ張られた場合、引張側端部１４３ａを含む引っ張り部１４３の一部は、第一の側壁部１１３−１よりも左側である凹部１１１の内部から、第一の側壁部１１３−１よりも右側である凹部１１１の外部に貫通孔１１３Ｈを介して突き出る。そしてこの突き出る部分が収納空間５１１に収納される。収納空間５１１は、ブッシュ鍔部５２０と貫通空間５１２との間に配設されているが、収納空間５１１の内径φＤは、引っ張り部１４３がワイヤー１５０に引っ張られた際に、引張側端部１４３ａが介在できる程度の大きさである。このように、引っ張り部１４３の突き出る分だけ、収納空間５１１を引張方向１４４へ後退させている。図９に示すように、ワイヤー１５０の直径φＡ、貫通空間５１２の直径φＢ、引っ張り部１４３の最大幅Ｃ、収納空間５１１の直径φＤの大きさの関係は、φＡ＜φＢ＜Ｃ＜φＤとなる。
【００２８】
本実施の形態では、ブッシュ５００に収納空間５１１と貫通空間５１２とを形成したので、プルスイッチ１４０の引っ張り部１４３が引っ張られたときに、引張側端部１４３ａが貫通孔１１３Ｈから突き出す位置に、プルスイッチ１４０を平板部１１２に配設してよい。つまり図８において、引っ張られた場合の引っ張り部１４３の一部を覆うようにして収納する収納空間５１１があるので、プルスイッチ１４０を第一の側壁部１１３−１寄りに配置できる。このため、第二の側壁部１１３−２とプルスイッチ１４０との間の隙間Ｗ２（図８）を広くとることができる。よって、広くとれた隙間Ｗ２に、照明装置１０００同士を連結するＦケーブルなどを配置できる。
このように、引張方向１４４において、プルスイッチ１４０は、第二の側壁部１１３−２の凹部１１１側の側面と、この凹部１１１側の側面に対向する側面１４０−２との間の隙間Ｗ２が、第一の側壁部１１３−１の凹部１１１側の側面と、この凹部１１１側の側面に対向する側面１４０−１との間の隙間Ｗ１と、略同じまたは大きくなるように凹部１１１に収納される。つまり図８の断面において、隙間Ｗ２≧隙間Ｗ１である。
【００２９】
なお、ブッシュ５００のブッシュ本体部５１０の外形あるいは外観についは、引張側端部１４３ａを含む引っ張り部１４３の一部を引き込める形状の収納空間５１１が形成でき、かつ、ワイヤー１５０のぶれを規制できる貫通空間５１２を形成できるのであれば、問わない。ブッシュ本体部５１０の外形あるいは外観は、楕円形状や角形状でも良いし、一部が切り欠かれた形状であっても良い。楕円形状や角形状や、一部が切り欠かれた形状であれば、凸形状１１３Ｈ−１は形成しなくても良い。
【００３０】
また、以上では収納空間５１１と貫通空間５１２とは異なる形状としているが、収納空間５１１の一部が貫通空間５１２を兼ねてもよい。例えば収納空間５１１は円筒形状であり、引張方向１４４の終わり部分が貫通空間５１２として機能しても構わない。
【００３１】
図１３は、ブッシュ５００−１の断面図である。ブッシュ５００は、図１３に示すように、貫通空間５１２の先端側の開口が収納空間５１１側の開口より大きく形成され、内側面が緩やかな円弧状に傾斜した、いわゆるラッパ形状でもよい。ラッパ形状にすることにより、ワイヤー１５０と貫通空間５１２の出口との接触が滑らかになる。
【００３２】
図１５〜図１６は、ブッシュ６００を示す図である。ブッシュは、これらの図に示すように、２つの部品を組み合わせて完成する形態でも良い。図１４は、ブッシュ６００の斜視図である。図１５は、ブッシュ６００の分解斜視図である。図１６は、ブッシュ６００の断面図であり、第二の半ブッシュ部６０２の端面に同じである。図１７は、図９に相当する、ブッシュ６００を使用する場合の断面図である。図１５に示すように、ブッシュ６００は、ブッシュ５００を縦方向に略均等に二分割にした二つの部品と、リング形状のリング部材６６０を備えている。一方の部品が第一の半ブッシュ部６０１であり、他方の部品が第二の半ブッシュ部６０２である。図１７に示すように、ブッシュ６００は、紐状体１７０が貫通空間５１２から外部７００に出る貫通空間５１２の出口５１２−１に、紐状体１７０を貫通させるリング形状のリング部材６６０を備えている。リング部材６６０は、ＳＵＳ、鉄、アルミなどを材料とする。図１５に示すように、第一の半ブッシュ部６０１は、組み立て用の組立爪部６１１を上下に有し、第二の半ブッシュ部６０２は、上下の組立爪部６１１と係合するそれぞれの爪受け部６２１を有する。それぞれの組立爪部６１１は、対応する爪受け部６２１と係合する。
【００３３】
ブッシュ６００は、リング部材６６０にワイヤー１５０が通され、第一の半ブッシュ部６０１と第二の半ブッシュ部６０２とがワイヤー１５０を挟み込んだ状態で連結、合体して、貫通孔１１３Ｈに嵌め込むことができる。よって、ワイヤー１５０の取り付け作業が容易になる。
【００３４】
また、図１７に示すように、ワイヤー１５０が引き紐１６０に引っ張られて接触する貫通空間５１２の出口５１２−１には、リング部材６６０が配設される。このリング部材６６０によって、ワイヤー１５０が動く際に、ワイヤー１５０が第一の半ブッシュ部６０１と第二の半ブッシュ部６０２との連結の境目６５１（図１４）に挟み込まれるのを防止できる。また、リング部材６６０によって、ワイヤー１５０によって貫通空間５１２の出口５１２−１が擦られることで生じる出口５１２−１の摩耗を防止できる。また、図１４、図１６、図１７に示すように、ブッシュ６００の出口５１２−１における直下方向には切り欠き部６５２を形成して、ワイヤー１５０と境目６５１との距離を離している。このため、ワイヤー１５０は動く際にリング部材６６０の端部に接触するので、ブッシュ６００の貫通空間５１２端部の摩耗防止や、ワイヤー１５０の境目６５１への挟み込みを防止できる。
【００３５】
図１８は、二つの第一の半ブッシュ部６０１でブッシュ６００を構成する図である。図１８に示すように、第一の半ブッシュ部６０１が組立爪部６１１と爪受け部６２１とを備えており、リング部材６６０と、２個の第一の半ブッシュ部６０１でブッシュ６００を形成してもよい。この場合、第二の半ブッシュ部６０２を用いることなく、第一の半ブッシュ部６０１のみでブッシュ６００を構成できる。
【００３６】
また、図１９は、ブッシュ５００を二等分して第一の半ブッシュ部６０１、第二の半ブッシュ部６０２としてブッシュ６００を構成するのではなく、境目６５１がジグザグになるようにブッシュ５００を分割した構成を示す。境目６５１がジグザグになることで、Ｘ方向にワイヤー１５０が引かれた場合、ワイヤー１５０が境目６５１に挟まれる恐れを低減できる。あるいは図１４に破線で示す境目６５１−１のように、水平断面でブッシュを二等分しても構わない。この場合は、境目６５１−１がワイヤー１５０の垂れ下がるＸ方向には存在しないので、ワイヤー１５０が境目６５１−１に挟まれる心配はない。
【００３７】
半ブッシュ部で構成するブッシュ６００はリング部材６６０を備える構成として説明したが、ブッシュ６００はリング部材６６０を備えなくても構わない。その場合、半ブッシュ部の端面は、図９に示すブッシュ５００の断面のような形状となる。また、ブッシュ５００ではリング部材６６０を備えていない構成を述べたが、ブッシュ５００がリング部材６６０を備えても構わない。
【００３８】
図１に示した照明装置１０００について、図２０、図２１を参照して、器具本体１００への光源ユニット２００の取付方法を述べておく。
【００３９】
図２０は、光源ユニット２００（図３）に取り付けられる連結金具２５０である。図２１は、器具本体１００への光源ユニット２００の取付方法を示す図である。
【００４０】
図２１を参照して光源ユニット２００の装着作業の概要を説明する。
図２１において、
（ａ）は、器具本体１００に光源ユニット２００が取り付けられる前の状態を示す。
（ｂ）は、作業者がバネ部１３０（図２）の円弧形状部１３１を弾性変形させた状態で光源ユニット２００の連結金具２５０にバネ部１３０の先端部Ｋを連結した状態を示す。
（ｃ）は、バネ部１３０が連結金具２５０の開口縁部２５０ａ−１−１（図２０）に対して摺動する状態を示す。
（ｄ）は、器具本体１００に光源ユニット２００が取り付けられた状態を示す。
【００４１】
（１）図２１（ａ）では、器具本体１００にバネ部１３０が取り付けられており、光源ユニット２００は器具本体１００に取り付けられていない状態である。
（２）図２１（ｂ）では、作業者が、バネ部１３０の先端部Ｋを、連結金具２５０のバネ挿入孔２５０ａ−１（図２０）の開口縁部２５０ａ−１−１に引っ掛けて、光源ユニット２００を器具本体１００に吊り下げた状態を示す。バネ部１３０は図２のように、２個のバネ部１３０が、器具本体１００の両端部分に配置されており、反対側のバネ部１３０も同様に操作し、光源ユニット２００を器具本体１００に対して略平行な状態で保持できる。
（３）図２１の（ｃ）では、作業者が光源ユニット２００を上方（天井方向）に持ち上げると、バネ部１３０の円弧部の裏面が、バネ挿入孔２５０ａ−１の開口縁部２５０ａ−１−１に対して、バネの復元力により摺動する。
（４）図２１の（ｄ）では、作業者が、器具本体１００に光源ユニット２００を差し込むことで、光源ユニット２００の器具本体１００への装着が完了する。
【００４２】
（光源ユニット２００の取り外し作業）
なお、光源ユニット２００を器具本体１００から取り外すには装着時と逆の手順によればよい。
【００４３】
図２２は、プルスイッチ１４０とバネ部１３０との配置関係を示す図である。図２２に示すように、プルスイッチ１４０は、光源ユニット２００を取り付ける為の取付バネであるバネ部１３０と平板部１１２との間に配設してもよい。照明装置１０００は、長手方向（図１）に沿う細長い円弧形状をなすと共に平板部１１２に対向して配置されて弾性力によって光源ユニット２００を器具本体１００に取り付ける円弧形状部１３１を有するバネ部１３０を備えている。図２２に示すように、プルスイッチ１４０は、バネ部１３０の円弧形状部１３１と凹部１１１の平板部１１２とに挟まれて配置される。なお図２２のＹ方向矢視におけるバネ部１３０の位置を、図８に破線で示した。バネ部１３０は、平板部１１２に固定されている箇所を軸としてプルスイッチ１４０と接触しないように可動し、光源ユニット２００を固定する。プルスイッチ１４０がバネ部１３０と平板部１１２との間に配設することで、凹部１１１の内部空間をより有効に使用できる。
【００４４】
（変形例）
図２３〜図２５に実施の形態１の照明装置１０００の変形例を示す。図２３〜図２５は図８に相当する断面である。
（１）図２３は、傾斜部１１４−１、１１４−２が下方向（斜め下方向）に傾斜する、天井直付けタイプの照明装置１００２を示す図である。図２３は図８と傾斜部１１４−１，１１４−２の傾斜が異なる他は図８と同じである。
（２）図２４は、傾斜部１１４−１、１１４−２が下方向に傾斜する天井埋め込みタイプの照明装置１００３を示す図である。図２４は図８と傾斜部１１４−１，１１４−２の傾斜方向が異なること、凸部１８０がないことの他は図８と同じである。
（３）図２５は、傾斜部１１４−１，１１４−２がない、いわゆるトラフ型の照明装置１００４を示す図である。図２５は傾斜部１１４−１，１１４−２が存在しないことの他は図８と同じである。
【００４５】
図２３〜図２５のように、照明装置の形状が異なる場合であっても、ブッシュ５００を備えることにより、断面が凹部形状で長手形状をなす器具本体を有する照明器具において、凹部形状の空間を有効活用できる照明装置を提供できる。
【００４６】
図２３〜図２５の構成の照明装置も、図２０、図２１の説明と同様の構成により、光源ユニットを器具本体に取り付けることができる。
【００４７】
実施の形態の照明装置１０００、１００２、１００３、１００４によれば、器具内側の凹部の空間を有効に活用し、照明器具を小型化できるとともに、プルスイッチ付きの照明器具を提供できる。
【００４８】
なお、以上の説明では、ブッシュ５００、ブッシュ５００−１、ブッシュ６００等については、ブッシュとしての単独部品の場合を説明したが、プレス成型等で第一の側壁部１１３−１にブッシュに相当するブッシュ部を形成しても構わない。この場合も、ブッシュ部は、ブッシュ５００等のブッシュである。つまり、ブッシュとは、単独部品でもよいし器具本体とともに形成されてもよいものであり、収納空間５１１を有すればよく、貫通空間５１２があればさらによい。
【符号の説明】
【００４９】
１００  器具本体、１１０  本体部、１１１  凹部、１１２  平板部、１１３−１  第一の側壁部、１１３−２  第二の側壁部、１１３Ｈ  貫通孔、１１３Ｈ−１  凸形状、１１４−１，１１４−２  傾斜部、１１４Ｈ  傾斜部貫通孔、１１５−１  一方の端部、１１５−２  他方の端部、１２０−１，１２０−２  端板、１３０  バネ部、１３１  円弧形状部、１４０  プルスイッチ、１４１  プルスイッチ本体部、１４２  ロータリースイッチ、１４３  引っ張り部、１４３ａ  引張側端部、１４４  引張方向、１５０  ワイヤー、１５１，１５２  ワイヤー側連結部、１５３  ワイヤー屈曲部分、１６０  引き紐、１６１，１６２  引き紐端部、１７０  紐状体、１８０  凸部、２００  光源ユニット、２１０  ＬＥＤモジュール、２２０  取付部材、２３０  透光カバー、２４０  光源蓋部、２５０  連結金具、２７０  電源装置、３００  天井板、５００，５００−１  ブッシュ、５１０  ブッシュ本体部、５１１  収納空間、５１２  貫通空間、５１２−１  出口、５２０  ブッシュ鍔部、５３０  ブッシュ爪部、５４０  ブッシュ凸部、６００  ブッシュ、６０１  第一の半ブッシュ部、６０２  第二の半ブッシュ部、６１０  ブッシュ本体部、６１１  組立爪部、６２０  ブッシュ鍔部、６２１  爪受け部、６３０  ブッシュ爪部、６４０  ブッシュ凸部、６５１  境目、６５２  切り欠き部、６６０  リング部材、７００  外部、１０００，１００２，１００３，１００４  照明装置。
【図１】
0006362506.tif 000002
【図２】
0006362506.tif 000003
【図３】
0006362506.tif 000004
【図４】
0006362506.tif 000005
【図５】
0006362506.tif 000006
【図６】
0006362506.tif 000007
【図７】
0006362506.tif 000008
【図８】
0006362506.tif 000009
【図９】
0006362506.tif 000010
【図１０】
0006362506.tif 000011
【図１１】
0006362506.tif 000012
【図１２】
0006362506.tif 000013
【図１３】
0006362506.tif 000014
【図１４】
0006362506.tif 000015
【図１５】
0006362506.tif 000016
【図１６】
0006362506.tif 000017
【図１７】
0006362506.tif 000018
【図１８】
0006362506.tif 000019
【図１９】
0006362506.tif 000020
【図２０】
0006362506.tif 000021
【図２１】
0006362506.tif 000022
【図２２】
0006362506.tif 000023
【図２３】
0006362506.tif 000024
【図２４】
0006362506.tif 000025
【図２５】
0006362506.tif 000026